(57)【特許請求の範囲】
【請求項１】
被記録媒体を支持する媒体支持面から裏面に貫通する複数の第１吸引孔が形成された媒体支持部と、
前記被記録媒体に対して記録処理を施す記録処理部と、
前記裏面側に設けられ、前記複数の第１吸引孔に連通する複数の第１吸引部と、
前記複数の第１吸引部の前記媒体支持部とは反対側に配置される第２吸引部と、
前記第１吸引部と前記第２吸引部との間に配置され、各第１吸引部と前記第２吸引部とを連通させる複数の第２吸引孔が形成された壁部と、
前記第１吸引孔及び前記第２吸引孔を介して前記媒体支持面上に配置された前記被記録媒体を吸引する吸引機構と、
前記第１吸引部側の前記壁部上に配置され当該壁部に沿って平行移動可能なスライド部材と、
前記スライド部材の前記壁部側に設けられ、前記平行移動の方向に長さが異なるとともに前記複数の第２吸引孔を選択的に閉塞可能とされた、少なくとも弾性部材からなる複数の閉塞部と、
前記スライド部材の前記閉塞部とは反対側に設けられ、前記閉塞部を前記壁部側へと付勢する付勢部と、を備え、
前記被記録媒体のサイズに基づいて前記第２吸引孔を前記閉側部により選択的に閉塞する
ことを特徴とする記録装置。
【請求項２】
複数の前記閉塞部は、前記平行移動の方向の位置に従って、順次、長さが異なる
ことを特徴とする請求項１に記載の記録装置。
【請求項３】
前記媒体支持部と前記壁部との間に配置されるとともに、前記被記録媒体の搬送方向で隣り合う前記第１吸引部どうしを仕切る仕切部が複数設けられている
ことを特徴とする請求項１または２に記載の記録装置。
【発明の詳細な説明】
【技術分野】
【０００１】
本発明は、記録装置に関する。
【背景技術】
【０００２】
インクジェットプリンター等の記録装置では、記録用紙等の被記録媒体に対して記録処理を行う際に、被記録媒体が記録ヘッドに対して一定の姿勢（平行）となるようにプラテンで支持する必要がある。
【０００３】
特に、被記録媒体としてロール紙を用いる場合には、ロール紙の端部が巻きぐせ（カール）によりプラテンから浮き上がってしまうので、浮き上がりを押さえるためにプラテンにロール紙を吸引する紙吸引部を設けたものがある。
この紙吸引部は、通常、プラテンに多数の吸引孔を設けて、プラテンの裏面側に内蔵したファンにより各吸引孔を介して外気を吸引することで、ロール紙をプラテン上に吸着保持（負圧吸引）するようになっている。
【０００４】
ロール紙等の被記録媒体をプラテン上に載置し、搬送する場合には、被記録媒体のサイズ変更（幅方向の寸法変化）や搬送状態（位置）等によっては、必ずしも全ての吸引孔が被記録媒体により覆われているとは限らない。つまり、被記録媒体により覆われていない、開放状態の吸引孔が存在するため、この吸引孔から空気が漏れてしまう（エアーリークが発生する）ことになる。
そして、このような開放状態の吸引孔の数が多くなると、被記録媒体を吸着する吸着力が低下して、被記録媒体の浮き上がりを抑えることが不完全となってしまう。
【０００５】
このため、特許文献１に示すように、多数の吸引孔を形成したプラテンの裏面側に、この多数の吸引孔を段階的に開閉するシャッター機構を設け、被記録媒体の搬送状態等に応じてシャッター機構を動作させるプリンター装置が提案されている。
【先行技術文献】
【特許文献】
【０００６】
【特許文献１】特開２００２−２０５８５５号公報
【発明の概要】
【発明が解決しようとする課題】
【０００７】
特許文献１に開示された発明では、プラテンの裏面側に配置した平板状のシャッター部材をカム機構により往復移動させる構成となっている。そして、プラテンの吸引孔とシャッター部材に形成された貫通孔を重ね合わせ、その重なり合いの程度により吸引孔の開口面積を調整するようになっている。
【０００８】
しかしながら、上述した発明では、特に大型のプリンターに適用した場合に空気漏れが発生しやすいという問題がある。プラテンの吸引孔をシャッター部材で閉じた際に空気漏れを抑えるためには、プラテンとシャッター部材を密着させる必要がある。ところが、大型のプリンターでは、プラテン及びシャッター部材の面積が大きくなるため、プラテンの裏面側に配置されたシャッター部材は自重により撓みやすく、両者を密着させることは必ずしも容易ではないからである。
【０００９】
また、プラテンの表面をカバーするシートを設けて、被記録媒体の幅に応じて吸着するエリアを限定し、被記録媒体が存在しない領域をプラテンの表面側から塞ぐことで、被記録媒体を吸着する吸着力の低下を極力抑える構造も開示されている。
【００１０】
しかしながら、プラテンの表面をカバーするシートを配置しているため、記録ヘッドとの衝突リスク等を回避しなければならない。また、プラテンの下方の圧力室側に配置して、プラテンの裏面側から吸引孔を塞ぐ構造の場合、吸着エリアを仕切る構造部に剛性や密着性が求められるため、機能性と操作性とがトレードオフになってしまう。
【００１１】
本発明は、上述した課題に鑑みてなされたものであり、被記録媒体を確実に吸引保持することができるとともに、機能性及び操作性を向上することのできる記録装置を提供することを目的とする。
【課題を解決するための手段】
【００１２】
本発明の記録装置は、被記録媒体を支持する媒体支持面から裏面に貫通する複数の第１吸引孔が形成された媒体支持部と、前記被記録媒体に対して記録処理を施す記録処理部と、前記裏面側に設けられ、前記複数の第１吸引孔に連通する複数の第１吸引部と、前記複数の第１吸引部の前記媒体支持部とは反対側に配置される第２吸引部と、前記第１吸引部と前記第２吸引部との間に配置され、各第１吸引部と前記第２吸引部とを連通させる複数の第２吸引孔が形成された壁部と、前記第１吸引孔及び前記第２吸引孔を介して前記媒体支持面上に配置された前記被記録媒体を吸引する吸引機構と、前記第１吸引部側の前記壁部上に配置され当該壁部に沿って平行移動可能なスライド部材と、前記スライド部材の前記壁部側に設けられ、前記平行移動の方向に長さが異なるとともに前記複数の第２吸引孔を選択的に閉塞可能とされた、少なくとも弾性部材からなる複数の閉塞部と、前記スライド部材の前記閉塞部とは反対側に設けられ、前記閉塞部を前記壁部側へと付勢する付勢部と、を備え、前記被記録媒体のサイズに基づいて前記第２吸引孔を前記閉側部により選択的に閉塞することを特徴とする。
【００１３】
これによれば、第２吸引孔が閉塞部によって閉塞されていないときは、第１吸引孔および第１吸引部を介して媒体支持面上の空気（外気）を吸引することができる。そして、スライド部材を壁部に沿って平行移動すると、第２吸引孔が閉塞部によって閉塞されて、第２吸引孔からの空気漏れが抑えられる。つまり、被記録媒体が存在しない領域に位置する第２吸引孔を選択的に閉塞することにより、これに対応する第１吸引孔を介して媒体支持面上の空気を吸引することができなくなるため、他の第１吸引孔に対して吸引作用が効果的に作用することとなる。これにより、機能性および操作性を低下させることなく、媒体支持面上に被記録媒体を確実に吸引保持することができる。
【００１４】
また、複数の前記閉塞部は、前記平行移動の方向の位置に従って、順次、長さが異なる構成としてもよい。
これによれば、スライド部材の平行移動量に応じて、複数の第２吸引孔を段階的に開閉することができるので、被記録媒体の幅に合わせて、吸引機構による吸引量を可変制御することができる。
【００１５】
また、前記媒体支持部と前記壁部との間に配置されるとともに、前記被記録媒体の搬送方向で隣り合う前記第１吸引部どうしを仕切る仕切部が複数設けられている構成としてもよい。
これによれば、各第１吸引部が少なくとも一つの第１吸引孔に連通していることから、仕切部によって仕切られた複数の第１吸引部と第２吸引部とを連通させる第２吸引孔を選択的に閉塞させることによって、被記録媒体の存在しない領域に位置する第１吸引孔からの空気漏れを抑制して、被記録媒体の存在する領域に位置する他の第１吸引孔による被記録媒体の吸着力が低下してしまうのを防止することができる。これにより、幅寸法の異なる被記録媒体の側部を媒体支持面に対して吸着保持させることができる。
【００１６】
また、前記閉塞部を前記壁部側へと付勢する付勢部が設けられている構成としてもよい。
これによれば、付勢部によってスライド部が常に壁部側へと付勢されていることから、第２吸引孔の閉塞状態が保持できるようになっている。
【００１７】
また、少なくとも前記閉塞部が弾性部材からなる構成としてもよい。
これによれば、少なくとも閉塞部が弾性部材から構成されているため、スライド部が第２吸引孔内へ入り込むようにして弾性変形することで、第２吸引孔の閉塞状態をより確実に維持できる。
【図面の簡単な説明】
【００１８】
【図１】実施形態に係るインクジェットプリンターの概略構成を示す側面図。
【図２】インクジェットプリンターの概略構成を示す上面図。
【図３】（ａ）は、吸引機構およびシャッター機構の構成を模式的に示す断面図、（ｂ）は、シャッター機構の要部を拡大して示す部分断面図。
【図４】仕切部の構成を模式的に示す側面図。
【図５】シャッター機構と壁部との位置関係を模式的に示す平面図。
【図６】媒体支持テーブルの吸引機構を駆動した際の作用を示す概略正面断面図。
【図７】（ａ），（ｂ）は、スライド板を初期位置からＸ方向に向けて一段階だけ移動させた場合を示す概略断面図。
【図８】閉塞部の変形例を示す断面図。
【図９】他の実施形態に係るシャッター機構の構成を模式的に示す断面図である。
【発明を実施するための形態】
【００１９】
以下、本発明の実施形態につき、図面を参照して説明する。なお、以下の説明に用いる各図面では、各部材を認識可能な大きさとするため、各部材の縮尺を適宜変更している。
【００２０】
図１は、本実施形態に係るインクジェットプリンターの概略構成を示す側面図である。
図２は、インクジェットプリンターの概略構成を示す上面図である。
【００２１】
図１に示すように、インクジェットプリンター（記録装置）１は、給送部１０と、記録部（記録処理部）２０と、排出部４０とを備えている。
給送部（媒体搬送部）１０は、被記録媒体の一例であるロール紙（被記録媒体）Ｒを記録部２０へ給送することができるように設けられている。具体的には、ロール媒体ホルダ１１を有し、ロール媒体ホルダ１１がロール状のロール紙Ｒを保持している。そして、ロール状のロール紙Ｒを回動させることにより、搬送方向下流側（Ｙ軸の矢印方向）の記録部２０へ、第１ローラ１２を介して、ロール状態を解いた状態のロール紙Ｒを給送することができるように構成されている。
【００２２】
記録部２０は、給送部１０から送られたロール紙Ｒに対して液体の一例であるインクを吐出して記録を実行することができるように設けられている。
具体的には、記録部２０は、キャリッジ２１と、記録ヘッド２２と、媒体支持テーブル２４と、カール押さえ部３０１等とを有している。
【００２３】
キャリッジ２１は、媒体支持テーブル２４と対向し、不図示の第２ガイド軸に案内されながら、不図示のキャリッジモーターの動力によって、ロール紙Ｒの搬送方向Ｙに移動することができるように設けられている。
なお、図１では、キャリッジ２１が媒体支持テーブル２４より搬送方向上流側へ退避した状態を示している。
【００２４】
また、記録ヘッド２２は、キャリッジ２１に設けられ、搬送方向Ｙにおいてキャリッジ２１と一体に移動することができるように設けられている。
さらに、記録ヘッド２２は、幅方向Ｘにおいて、キャリッジ２１に対して相対的に移動することができるように構成されている。具体的には、不図示の第２ガイド軸に案内されながら、不図示の記録ヘッドモーターの動力によって、幅方向Ｘに移動することができるように設けられている。
【００２５】
すなわち、記録ヘッド２２は、媒体支持テーブル２４と対向する範囲において、搬送方向であるＹ方向（副走査方向）および幅方向であるＸ方向（主走査方向）へ移動することができるように構成されている。
そして、記録ヘッド２２における媒体支持テーブル２４と対向する面に設けられたノズル列２３からインクを吐出することにより、ロール紙Ｒに記録を実行することができる。
【００２６】
媒体支持テーブル（媒体吸着支持装置）２４は、ロール紙Ｒをその裏面側から支持することができるように設けられている。媒体支持テーブル２４は、ロール紙Ｒを支持する媒体支持面２５ａを有するプラテン（媒体支持部）２５と、複数の圧力室２７Ａおよび圧力室２７Ｂを形成する圧力室形成体４５と、上記圧力室２７Ａ，２７Ｂに対して負圧を供給する吸引機構２８とを備えている。
【００２７】
図１及び図２に示すように、プラテン２５には、例えば、内径が数ｍｍ程度の貫通孔からなる吸引孔（第１吸引孔）２６が、ロール紙Ｒを支持する媒体支持面２５ａの略全体に亘って形成されている。具体的には、内径２〜３ｍｍの吸引孔２６が、プラテン２５の長手方向であるＹ方向（ロール紙Ｒの搬送方向）と、幅方向であるＸ方向（ロール紙Ｒの幅方向）とに、それぞれ配列形成されている。
【００２８】
圧力室形成体４５は、その内側に、プラテン２５とは離間して平行に配置された壁部３０を有する、所謂二重床構造をなすもので、プラテン２５の裏面側に配置される。この圧力室形成体４５は、複数の圧力室（第１吸引部）２７Ａと、これら複数の圧力室２７Ａの下層であって壁部３０の裏面側に配置された圧力室（第２吸引部）２７Ｂと、を有し、圧力室２７Ａに対して相対的に大きい圧力室２７Ｂ上に複数の圧力室２７Ａが積層された構成とされている。
【００２９】
複数の圧力室２７Ａは、ロール紙Ｒの搬送方向に交差する方向（紙幅方向）に並んでおり、同方向に隣り合う圧力室２７Ａ同士は、プラテン２５と壁部３０との間に配置されるとともに双方に接続された仕切部３３によって仕切られている。
【００３０】
仕切部３３は、プラテン２５と壁部３０との間に形成される空間を仕切るもので、壁部３０上に複数立設されている。複数の仕切部３３は、ロール紙Ｒの幅方向に沿って互いに所定の間隔をおいて配置されており、その上端側がプラテン２５の裏面に接続されている。なお、複数の仕切部３３は、壁部３０と一体に形成されていてもいいし、壁部３０とは別体で設けられていてもよい。
【００３１】
仕切部３３は、ロール紙Ｒの搬送方向に延在する板部材であって、プラテン２５に形成された多数の吸引孔２６のうち紙幅方向で隣り合う吸引孔２６どうしの間に位置するように配置されている。
【００３２】
複数の圧力室２７Ａは、壁部３０に形成された複数の吸引孔（第２吸引孔）３２を介して圧力室２７Ｂと連通している。吸引孔３２は、プラテン２５に形成された吸引孔２６と一対一で形成されたもので、各圧力室２７Ａに対応してその底面に設けられている。これら吸引孔３２を介して各圧力室２７Ａと圧力室２７Ｂ内の空間がそれぞれ連通している。
【００３３】
複数の圧力室２７Ａはプラテン２５を天面とするとともに壁部３０を底面とする小型の密閉空間であり、圧力室２７Ｂは複数の圧力室２７Ａの底面、すなわち壁部３０を天面とする大型の密閉空間である。そして、この圧力室２７Ｂの底面（圧力室形成体４５の底面）に接続されるように、圧力室形成体４５に吸引機構２８が連結されている。なお、圧力室２７Ｂの側壁に接続されるように、圧力室形成体４５に吸引機構２８が連結されていてもよい。
【００３４】
圧力室形成体４５の内部には、壁部３０に形成された多数の吸引孔３２を選択的に開閉することのできるシャッター機構５０が設けられている。このシャッター機構５０の構成等については、後述する。
【００３５】
吸引機構２８は、吸引孔３２を介して連通状態にある圧力室２７Ａ，２７Ｂの内部の空気を吸引して各空間内を負圧にするものである。具体的には、軸流ファン２９により圧力室２７Ａ，２７Ｂの内部の空気を吸引するように構成されている。これにより、プラテン２５に形成された多数の吸引孔２６を介して外気が吸引され、プラテン２５上に載置したロール紙Ｒを媒体支持面２５ａに吸着保持するようになっている。
【００３６】
カール押さえ部３０１は、プラテン２５上に載置されたロール紙Ｒの側端Ｒａを、媒体支持面２５ａに向けて押さえることにより、ロール紙Ｒの側端Ｒａがカールしてプラテン２５から離間する、所謂浮き上がりを防止するものである。
具体的には、カール押さえ部３０１は、柔軟性および可僥性を有した一対の帯状フィルムからなるカール押さえ部材３１を備えている。各カール押さえ部材３１は、プラテン２５のＸ方向の両端側（ロール紙Ｒの幅方向の両端）において、Ｙ方向（ロール紙Ｒの搬送方向）に沿ってＹ方向の全域に亘って配置される。
なお、カール押さえ部材３１は、例えば厚みが０．５ｍｍ以下、幅が３０ｍｍ程度である。また、素材としては、例えばポリイミド等を用いることができる。
【００３７】
各カール押さえ部材３１の両端（Ｙ方向の端部）は、それぞれ、カール押さえ取付部３５に連結されている。カール押さえ取付部３５は、それぞれ、プラテン２５の幅方向（Ｘ方向）とほぼ同一長さを有する部材であって、プラテン２５の長手方向（Ｙ方向）の端部から離間した位置に、幅方向に沿って、インクジェットプリンター１の基体部（不図示）に固定されている。
【００３８】
また、カール押さえ取付部３５は、カール押さえ部材３１の両端を、それぞれＸ方向に沿って移動可能に連結している。これにより、各カール押さえ部材３１は、その両端をカール押さえ取付部３５に沿って移動させることで、プラテン２５の幅方向（Ｘ方向）の任意位置において、プラテン２５の長手方向（Ｙ方向）に平行に配置される。
したがって、プラテン２５の上面に載置したロール紙Ｒの幅方向（Ｘ方向）の両端を、長手方向（Ｙ方向）の全域に亘って押さえることが可能となっている。
【００３９】
排出部４０は、巻き取りローラ４１を有し、記録部２０から送られたロール紙Ｒを、巻き取りローラ４１に巻き取るように構成されている。
なお、排出部４０は、記録部２０から送られたロール紙Ｒを巻き取りローラ４１で巻き取る際に、ロール紙Ｒの撓みを取り除くテンショナーや、記録部２０から送られたロール紙Ｒを加熱乾燥処理する乾燥部を備えることもある。
【００４０】
次に、媒体支持テーブル２４に設けられたシャッター機構５０の構成について詳述する。
図３（ａ）は、吸引機構およびシャッター機構の構成を模式的に示す断面図、（ｂ）は、シャッター機構の要部を拡大して示す部分断面図であり、図４は、仕切部の構成を模式的に示す側面図である。図５は、シャッター機構と壁部との位置関係を模式的に示す平面図である。
【００４１】
シャッター機構５０は、上述したように、ロール紙Ｒのサイズ変更（幅寸法の変更）に応じて、壁部３０に形成された多数の吸引孔３２を選択的に開閉できるものであって、プラテン２５に形成された多数の吸引孔２６に対して選択的に負圧を供給して吸着力を作用させる。
【００４２】
図３（ａ），（ｂ）に示すように、シャッター機構５０は、プラテン２５の裏面に対して離間し、かつ、平行に配置されたスライド板（スライド部材）５２と、壁部３０の厚さ方向を貫通する吸引孔３２と一対一で設けられる閉塞部３４と、付勢部３６と、から構成されている。
【００４３】
（スライド板の平面形状）
スライド板５２上には、多数の閉塞部３４が、壁部３０に形成された多数の吸引孔３２のそれぞれに対応する位置に形成されている。つまり、図５に示すように、初期状態においてスライド板５２と壁部３０を上面視すると、スライド板５２上に配置された閉塞部３４が壁部３０の吸引孔３２と一対一に重なるように列状に配列形成されている。
【００４４】
このスライド板５２は、プラテン２５の裏面に対して離間し、かつ、平行に配置された状態で、Ｘ方向（プラテン２５及びロール紙Ｒの幅方向）に、手動又は自動で平行移動可能に構成されている。具体的には、スライド板５２は、＋Ｘ方向に、所定の間隔（ピッチ）で段階的に平行移動できるようになっている。例えば、６ｍｍ間隔（ピッチ）で段階的に平行移動することができ、図３（ａ）及び図５に示す初期位置から、Ｘ方向に向けて、６ｍｍ、１２ｍｍ、１８ｍｍ、２４ｍｍ、３０ｍｍ…等の位置に平行移動できるようになっている。
【００４５】
本実施形態では、スライド板５２を平行移動させるので、その際の負荷を小さくするために、スライド板５２の厚みを数ｍｍ程度にすることが好適である。また、スライド板５２の材料としては、ステンレス鋼等が好適である。このようなスライド板５２は、表面側に設けられた付勢部３６によって壁部３０側へと常に付勢されている。付勢部３６は、板バネやコイル部材などの弾性部材によって構成されており、スライド板５２の上面側に１つあるいは複数個設けられる。
【００４６】
閉塞部３４は、数ｍｍ程度の高さ（厚み）を有していることが好適であり、ゴムなどの弾性部材や空気を通しにくいスポンジ、樹脂材料等によって構成されていることが好ましい。後述するように、スライド板５２を平行移動させて所定の吸引孔３２に対応する閉塞部３４を対向配置させることにより、吸引孔３２を選択的に閉塞することができる。ここで、スライド板５２は付勢部３６によって常に壁部３０側へと付勢されていることから、吸引孔３２上に配置された可撓性を有する閉塞部３４は、吸引孔３２内に入り込むように弾性変形して、吸引孔３２の閉塞状態が保持できるようになっている。
【００４７】
尚、シャッター機構５０はその殆どが複数の圧力室２７Ａの内部にほぼ収容されている。ただし、スライド板５２はプラテン２５に沿ってＸ方向に平行移動するため、一方向に配列された各仕切部３３には、スライド板５２および閉塞部３４が挿通される開口３３ａがそれぞれ設けられている。さらに、スライド板５２の移動方向（＋Ｘ方向）で最も外側に位置する圧力室２７Ａ’（圧力室２７Ａ）の側壁、つまり圧力室形成体４５の側壁４５Ａにも開口４５ａが設けられており、スライド板５２の一端部が圧力室形成体４５の外側に突出するように配置されている。
【００４８】
具体的には、複数の仕切部３３に設けられた開口３３ａ（図４）と、圧力室形成体４５の側壁４５Ａに設けられた開口４５ａとには、空気漏れがないように、不図示の気密機構が設けられている。そして、スライド板５２を圧力室形成体４５の開口４５ａから各仕切部３３の開口３３ａ内に挿入し、開口４５ａからスライド板５２を引き出すことで、スライド板５２を＋Ｘ方向に向けて平行移動できるように構成されている。
【００４９】
また、複数の閉塞部３４はＸ方向に沿う長円形状あるいは矩形状に形成されている。各閉塞部３４の延在方向の長さが、閉塞部３４のＸ方方向（プラテン２５およびロール紙Ｒの幅方向）の配置位置に応じて異なっている。
具体的には、スライド板５２の移動方向一方側（−Ｘ方向側）に配置された閉塞部３４ａ（閉塞部３４）は、平面視略円形状に形成される。この閉塞部３４ａに対してＸ方向で隣り合う閉塞部３４ｂは、＋Ｘ方向に延びる長円形に形成される。さらに、＋Ｘ方向に向かうにしたがって、閉塞部３４ｃ、閉塞部３４ｄ、閉塞部３４ｅ、閉塞部ｆ、閉塞部３４ｅ…等は、その長軸寸法のみが段階的に＋Ｘ方向に長くなるように形成されている。
例えば、閉塞部３４ａの長軸寸法が６ｍｍの場合には、閉塞部３４ｂの長軸寸法は１２ｍｍ、閉塞部３４ｃの長軸寸法は１８ｍｍ、閉塞部３４ｄの長軸寸法は２４ｍｍ、閉塞部３４ｅの長軸寸法は３０ｍｍ、閉塞部３４ｇの長軸寸法は３４ｍｍ・・・等である。
【００５０】
一方、複数の閉塞部３４の幅方向（Ｙ方向）の長さは一定、例えば、６ｍｍである。幅方向の長さは、吸引孔３２の直径（４ｍｍ）よりも大きくなるように形成されている。後述するように、各閉塞部３４によってそれぞれに対応する吸引孔３２を閉塞するからである。
【００５１】
また、各吸引孔３２の内周縁は、面取り処理が施される。特に、吸引孔３２の圧力室２７Ａ側の内周縁は、後述するように閉塞部３４と接触し、擦れ合うので、面取り処理の他、各種の低摩擦処理を施すことが好ましい。
【００５２】
なお、吸引孔３２や閉塞部３４の数や形状等は、図示したものに限らず変更が可能である。
【００５３】
次に、上記構成を備えるシャッター機構５０の作用について説明する。
図３（ａ）及び図５に示した状態、すなわちシャッター機構５０の初期状態（スライド板５２の初期位置）では、壁部３０に形成された複数の吸引孔３２は全て開放されており、これら複数の吸引孔３２を介して圧力室２７Ａ，２７Ｂが連通している。
【００５４】
この初期状態において、媒体支持テーブル２４の圧力室２７Ｂに連結された吸引機構２８を駆動して、軸流ファン２９を回転させて圧力室２７Ｂの内部を負圧にする。すると、壁部３０の各吸引孔３２を介して圧力室２７Ａの内部が負圧になり、プラテン２５に形成された全ての吸引孔２６を介して、媒体支持テーブル２４の上面側の空気（外気）が吸引される。これにより、媒体支持テーブル２４の上面（プラテン２５の媒体支持面２５ａ）に載置したロール紙Ｒを、プラテン２５の媒体支持面２５ａに吸着保持することができる。
【００５５】
より詳細には、以下に示すように作用する。
図６は、媒体支持テーブルの吸引機構を駆動した際の作用を示す概略正面断面図である。
なお、図３（ａ）および図６において、ロール紙（被記録媒体）Ｒ１の幅寸法（Ｘ方向の長さ）はプラテン２５の幅寸法と略同じ場合を示す。
【００５６】
図３（ａ）に示すように、ロール紙Ｒがプラテン２５上に送られた状態で、オペレーターが一対のカール押さえ部材３１のＸ方向の位置をロール紙Ｒ１の側端Ｒａと対向する位置に合わせ、ロール紙Ｒ１の各側端Ｒａ上にカール押さえ部材３１を載置させる。
このとき、カール押さえ部材３１の外側端Ｅ１をロール紙Ｒ１の側端Ｒａよりも外側に位置するように配置してプラテン２５と接触させる。一方、カール押さえ部材３１の内側端Ｅ２をロール紙Ｒの側端Ｒａより内側に位置するように配置して、ロール紙Ｒ１の側端Ｒａと接触させる。
【００５７】
一対のカール押さえ部材３１には、ロール紙Ｒ１をプラテン２５側へ押さえる力が作用しているので、一対のカール押さえ部材３１の外側端Ｅ１をプラテン２５と少なくとも線接触させることができるとともに、一対のカール押さえ部材３１の内側端Ｅ２をロール紙Ｒの側端Ｒａと接触させることができる。
【００５８】
そして、上述したように、複数の吸引孔２６は、プラテン２５の媒体支持面２５ａにおいて少なくともロール紙Ｒ１の側端Ｒａ及びカール押さえ部材３１と対向する領域に設けられている。したがって、吸引機構２８を駆動することにより、プラテン２５とロール紙Ｒ１とカール押さえ部材３１により囲まれた空間Ａの空気が吸引孔２６を介して吸引される。
【００５９】
したがって、図６に示すように、ロール紙Ｒ１及び一対のカール押さえ部材３１は、プラテン２５に密に接触した状態となる。すなわち、媒体支持テーブル２４に吸着保持された状態となる。
このようにして、ロール紙Ｒ１をプラテン２５の媒体支持面２５ａ（媒体支持テーブル２４の上面）に沿った平面状態で吸着保持することができる。
【００６０】
次に、ロール紙Ｒ１に代えて、ロール紙Ｒ１よりも幅寸法が狭い（Ｘ方向の長さが短い）ロール紙（被記録媒体）Ｒ２を媒体支持テーブル２４に吸着保持させる場合について説明する。
図７（ａ），（ｂ）は、スライド板５２を初期位置からＸ方向に向けて一段階だけ移動させた場合を示す概略断面図である。
例えば、ロール紙Ｒ２の幅寸法は、ロール紙Ｒ１よりも、吸引孔２６のＸ方向の配置ピッチ分（１ピッチ）だけ狭いものとする。このようなロール紙Ｒ２をプラテン２５の媒体支持面２５ａに載置する際には、いわゆる片側合わせ（端部基準）で載置する。
【００６１】
プラテン２５上に載置されたロール紙Ｒ２の幅寸法がロール紙Ｒ１よりも狭い場合には、吸引機構２８を駆動するに先立って、オペレーターがスライド板５２を初期位置（図３（ａ）参照）から＋Ｘ方向に向けて平行移動させる。
ロール紙Ｒ２の場合、幅寸法がロール紙Ｒ１よりも吸引孔２６のＸ方向の配置ピッチ分（１ピッチ分）だけ狭いので、スライド板５２を初期位置から＋Ｘ方向に向けて１段階（６ｍｍ）だけ移動させる。
【００６２】
上述したように、シャッター機構５０の初期状態（スライド板５２の初期位置）では、壁部３０に設けられた全ての吸引孔３２は開放状態とされている。
この初期状態から、スライド板５２を＋Ｘ方向に向けて６ｍｍだけ移動させると、図７（ａ）に示すように、スライド板５２に設けられた閉塞部３４ｇが吸引孔３２ｇに対向し、付勢部３６による付勢力によってその一部が吸引孔３２ｇ内に入り込むようにして開口が閉塞される。
このようにして、吸引孔３２ｇは閉塞部３４ｇにより閉塞されるようになる。従って、吸引機構２８を駆動したとしても、吸引孔３２ｇを介して圧力室２７Ａ’内の空気が吸引されず、ひいては、圧力室２７Ａ’に連通するプラテン２５の吸引孔２６を介して外気を吸引することができなくなる。
【００６３】
また、スライド板５２の＋Ｘ方向への移動と同時に、カール押さえ部材３１の一方を＋Ｘ方向に移動して、ロール紙Ｒ２の側端Ｒａと対向する位置に合わせる。
そして、吸引機構２８を駆動することにより、図７（ｂ）に示すように、ロール紙Ｒ２は媒体支持テーブル２４に吸着保持された状態となる。
このとき、プラテン２５に形成された多数の吸引孔２６のうち、最も＋Ｘ方向に配置された吸引孔２６ｇの上方には、ロール紙Ｒ２及びカール押さえ部材３１が存在しない状態である。このため、従来の媒体支持テーブル２４では、吸引機構２８を駆動すると、吸引孔２６ｇから常に外気が吸引されるため、他の吸引孔２６ｂ〜２６ｆ等の吸着力が低下してしまい、ロール紙Ｒ２を媒体支持テーブル２４に対して十分に吸着保持させることができない場合があった。
【００６４】
これに対して、本実施形態における媒体支持テーブル２４では、スライド板５２を＋Ｘ方向に移動させることにより、最も外側（＋Ｘ方向）の吸引孔３２ｇが閉塞部３４ｇによって閉塞されるので、吸引孔３２ｇから外気が吸引されることが殆どなくなる。したがって、他の吸引孔２６（２６ａ〜２６ｆ）の吸着力が低下することもない。これにより、ロール紙Ｒ１よりも幅寸法の狭いロール紙Ｒ２の場合であっても、ロール紙Ｒ１の場合とほぼ同一の吸着力で、媒体支持テーブル２４の上面（プラテン２５の媒体支持面２５ａ）に吸着保持させることができる。
【００６５】
さらに、ロール紙Ｒ１，Ｒ２よりも幅寸法が狭い（Ｘ方向の長さが短い）ロール紙等を媒体支持テーブル２４に吸着保持させる場合には、その幅寸法に応じて、オペレーターがスライド板５２及びカール押さえ部材３１をＸ方向に向けて平行移動させる。
【００６６】
このように、幅寸法の異なるロール紙Ｒ（Ｒ２）を吸着させる場合であっても、ロール紙Ｒ１の場合と略同一の吸着力を維持して、媒体支持テーブル２４の上面に吸着保持させることができる。
【００６７】
以上、説明したように、本実施形態に係るインクジェットプリンター１によれば、プラテン２５の裏面側に設けられ、複数の圧力室２７Ａとこれに対応する圧力室２７Ｂとの間に配置された壁部３０の全ての吸引孔３２が開放された状態においては、全ての吸引孔２６から外気を吸引してロール紙Ｒ１を吸着保持することができる。
そして、幅寸法の異なるロール紙（例えば、ロール紙Ｒ２）に代えた場合には、スライド板５２を壁部３０に対して平行移動させることで、ロール紙が載置されていない吸引孔２６に対応する吸引孔３２を閉塞部３４により選択的に閉塞し、この状態で吸引を行う。
【００６８】
例えば、吸引機構２８が１つの場合、ロール紙Ｒの幅寸法に応じて吸引力を発生させる領域を制御しないと、ロール紙Ｒに対する吸引力が低下してしまうという不具合が生じる。
これに対して本実施形態の構成によれば、ロール紙Ｒが存在しない領域に位置する吸引孔３２を選択的に閉塞することにより、これに対応する吸引孔２６を介して媒体支持面２５ａ上の空気を吸引することができなくなる。このため、ロール紙Ｒが存在している領域に位置する吸引孔２６に対して吸引力を効果的に作用させることができる。したがって、ロール紙Ｒに対する吸引力が十分に得られるため、幅寸法の異なるロール紙Ｒであっても、媒体支持面２５ａに確実に吸引保持させることができる。
【００６９】
また、本実施形態におけるシャッター機構５０は、壁部３０に形成された全ての吸引孔３２に対応する大きさ（面積）で構成されたスライド板５２を備えている。このような大判のスライド板５２であっても、壁部３０の上面側に設置することにより自重による撓みが抑えられて、閉塞部３４と吸引孔３２との密着性を確保しやすくなる。これにより、シャッター機構としての機能性および操作性を低下させることなく、壁部３０に設けられた複数の吸引孔３２を選択的に良好に閉塞させることができる。
【００７０】
また、スライド板５２の平行移動方向がロール紙Ｒの幅方向に一致するので、ロール紙の幅寸法の変化に応じて、複数の吸引孔３２を選択的に開閉させることができる。つまり、スライド板５２の移動方向に並ぶ複数の閉塞部３４のそれぞれは、スライド板５２の移動方向における配置位置に従って、順次、長さが異なっているので、スライド板５２の平行移動量に応じて、複数の吸引孔３２を段階的・選択的に開閉することができる。よって、ロール紙Ｒの幅寸法に合わせて吸引機構２８による吸引量（出力）を可変制御することが可能になる。
【００７１】
さらに、スライド板５２の移動方向に沿って、閉塞部３４の延在長さを段階的に異なるように構成したので、スライド板５２の移動距離を最小限に抑えることができる。このため、装置の設置領域も最小限に抑えることができる。
【００７２】
また、本実施形態では、スライド板５２が付勢部３６によって壁部３０側へ常に付勢された状態となっているため、吸引孔３２に対する閉塞部３４の密着性が向上して吸引孔３２からの空気漏れを防止することができ、吸引孔３２を確実に閉塞させることができる。
【００７３】
また、吸引孔３２の内周面を面取り加工するなど、スライド板５２の閉塞部３４との摩擦を低減する処理を施すことにより、長期間に亘って吸引孔３２の閉塞時の空気漏れを抑えることができる。
さらに、閉塞部３４の表面あるいは壁部３０の上面に対して化学的な処理を施すことにより、これらの摩擦抵抗を低減させるようにしてもよい。
また、本実施形態では、１つの圧力室２７Ａに１つの吸引孔２６が連通する構成となっているが、１つの圧力室２７Ａに複数の吸引孔２６が連通する構成となっていても良い。
【００７４】
図８（ａ），（ｂ）は、閉塞部の変形例を示す
例えば、図８（ａ）に示すように、樹脂材料により形成され半球状を呈する閉塞部３４１を有するスライド板５２としても良いし、図８（ｂ）に示すように、ゴムやフィルム等により形成された凸状の閉塞部３４２を有するスライド板５２としても良い。
【００７５】
次に、シャッター機構の他の実施形態について説明する。
図９（ａ），（ｂ）は、他の実施形態に係るシャッター機構の構成を模式的に示す断面図である。なお、上記したシャッター機構５０と同一の部材等については同一の符号を付してその説明を省略し、異なる部材等について主に説明する。
【００７６】
図９（ａ）に示すシャッター機構６０は、壁部３０の吸引孔３２と対向する位置に配置された押圧部６２と、当該押圧部６２と壁部３０との間に配置され壁部３０に沿って平行移動可能とされたスライド板６３と、を有して構成されている。スライド板６３は、例えば、母材としてメッシュ板などを用いて構成され、プラテン２５に形成された吸引孔２６と吸引孔３２とを連通させるとともに、吸引孔３２に対応して設けられた閉塞部６４によって吸引孔３２を閉塞できるようになっている。閉塞部６４は、母材の厚さと略同じ厚さでゴムなどの弾性部材から構成されており、母材の厚さ方向を貫通する複数の貫通孔６３ａ内に配置されている。
【００７７】
そして、基部６５に対して移動可能な押圧部６２の頭部６２ａが、付勢部６１によって常に壁部３０側へと付勢されている。このため、スライド板６３をスライドさせることによって押圧部６２の真下に閉塞部６４が対向配置されると、押圧部６２によって閉塞部６４が吸引孔３２内へ押し出されるようにして変形し、吸引孔３２が閉塞されることになる。このような構成であっても上記実施形態と同様の効果が得られ、壁部３０の吸引孔３２が押圧部６２によって閉塞させることが可能である。
【００７８】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【００７９】
なお、上述した実施形態においては、記録装置（液体噴射装置）としてインクジェットプリンターを例にして説明したが、インクジェットプリンターに限られず、複写機及びファクシミリ等の装置であってもよい。
また、上述した実施形態においては、被記録媒体の一例としてロール紙Ｒを挙げて説明したが、単票紙やフィルム材でもあってもよい。
【００８０】
また、吸引機構２８の軸流ファン２９の数は、１つに限らず、複数備えるようにしてもよい。
【００８１】
また、上述の実施形態においては、記録装置として、インク等の液体を噴射する液体噴射装置を例にして説明したが、インク以外の他の液体を噴射したり吐出したりする液体噴射装置に適用することができる。液体噴射装置が噴射可能な液体は、機能材料の粒子が分散又は溶解されている液状体、ジェル状の流状体を含む。
【００８２】
また、上述した実施形態において、記録装置（液体噴射装置）から噴射される液体としては、インクのみならず、特定の用途に対応する液体を適用可能である。液体噴射装置に、その特定の用途に対応する液体を噴射可能な噴射ヘッドを設け、その噴射ヘッドから特定の用途に対応する液体を噴射して、その液体を所定の物体に付着させることによって、所定のデバイスを製造可能である。例えば、液体噴射装置は、液晶ディスプレイ、ＥＬ（エレクトロルミネッセンス）ディスプレイ、及び面発光ディスプレイ（ＦＥＤ）の製造等に用いられる電極材、色材等の材料を所定の分散媒（溶媒）に分散（溶解）した液体（液状体）を噴射する液体噴射装置に適用可能である。
【００８３】
また、流体噴射装置としては、バイオチップ製造に用いられる生体有機物を噴射する液体噴射装置、精密ピペットとして用いられ試料となる液体を噴射する液体噴射装置であってもよい。
さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置、ジェルを噴射する流状体噴射装置であってもよい。そして、これらのうちいずれか一種の液体噴射装置に本発明を適用することができる。
【符号の説明】
【００８４】
１…インクジェットプリンター（記録装置）、１０…給送部（媒体搬送部）、２０…記録部（記録処理部）、２４…媒体支持テーブル（媒体吸着支持装置）、２５…プラテン（媒体支持面）、２５ａ…媒体支持面、２６（２６ａ〜２６ｇ）…吸引孔（第１吸引孔）、２７Ａ…圧力室（第１吸引部）、２７Ｂ…圧力室（第２吸引部）、２８…吸引機構、３０…壁部、３１…カール押さえ部材、３２（３２ａ〜３２ｇ）…第２吸引孔、３３…仕切部、３４（３４ａ〜３４ｇ），６４…閉塞部、３６，６１…付勢部、５２…スライド板（スライド部材）、Ｒ１，Ｒ２，Ｒ３…ロール紙（被記録媒体）
【図１】
0005772108.tif 000002
【図２】
0005772108.tif 000003
【図３】
0005772108.tif 000004
【図４】
0005772108.tif 000005
【図５】
0005772108.tif 000006
【図６】
0005772108.tif 000007
【図７】
0005772108.tif 000008
【図８】
0005772108.tif 000009
【図９】
0005772108.tif 000010